(57)【要約】【課題】エレベータドアのダブルドアオペレーションをなくし、また、玄関階ホールで車椅子ホール呼び釦を利用できるようにすること。【解決手段】住民Ｍ１がエレベータを利用する場合、玄関階ホールキーリーダ５のキーの読取に基づきキー制御盤１２が認証したこと、及び住民Ｍ１がノーマルホール呼び釦６又は車椅子ホール呼び釦７のいずれかを操作したことの双方を条件にしてエレベータ制御装置１５がホール呼び登録を行い、このホール呼び登録に基づくエレベータ運転を行う。【選択図】図１
2007246257.tif 000002
【特許請求の範囲】
【請求項１】
建物内の玄関階ホールのエレベータドア付近に設けられ、建物内の住民が持つキーに割り付けられた情報を読み取る玄関階ホールキーリーダと、
前記玄関階ホールキーリーダからの読取信号に基づき前記キーの認証を行うキー制御盤と、
前記キー制御盤がキーの認証を行ったこと、及び前記玄関階ホールに設けられているホール呼び釦が操作されたことの双方を条件に、玄関階へのホール呼びの登録、及び該登録に基づくエレベータ運転を行うエレベータ制御装置と、
を備えたことを特徴とするエレベータのセキュリティシステム。
【請求項２】
前記ホール呼び釦は、健常者が操作するためのノーマルホール呼び釦、及び車椅子利用者が操作するための車椅子ホール呼び釦により構成されるものである、
ことを特徴とする請求項１記載のエレベータのセキュリティシステム。
【請求項３】
前記建物の玄関には玄関ドアが設けられると共に、この玄関ドア付近に前記住民が持つキーに割り付けられた情報を読み取る玄関キーリーダが設けられており、
前記エレベータ制御装置は、前記キー制御盤が前記玄関キーリーダの読み取りに基づきキーの認証を行った場合に、エレベータかごを玄関階に戸閉待機させておく、
ことを特徴とする請求項１又は２記載のエレベータのセキュリティシステム。
【請求項４】
前記エレベータ制御装置は、前記玄関階のホール呼び釦を常時はホール呼び不停止の状態とし、前記キー制御盤がキーの認証を行った場合に前記玄関階のホール呼び釦をホール呼び不停止解除の状態とする、
ことを特徴とする請求項１乃至３のいずれかに記載のエレベータのセキュリティシステム。
【請求項５】
前記エレベータ制御装置は、前記玄関階のホール呼び釦をホール呼び不停止解除の状態とした後、設定時間が経過してもこのホール呼び釦の操作が行われない場合は再度ホール呼び不停止の状態とする、
ことを特徴とする請求項４記載のエレベータのセキュリティシステム。
【請求項６】
前記エレベータ制御装置は、前記住民がエレベータかご内に乗り込んだ後の目的階登録を、前記キーに割り付けられた情報に基づき行う、
ことを特徴とする請求項１乃至５のいずれかに記載のエレベータのセキュリティシステム。
【請求項７】
前記エレベータ制御装置は、前記住民がエレベータかご内に乗り込んだ後の目的階登録を、エレベータかご内のかご呼び釦の操作に基づき行う、
ことを特徴とする請求項１乃至５のいずれかに記載のエレベータのセキュリティシステム。
【請求項８】
前記エレベータかご内にはかご内キーリーダが設けられており、
前記エレベータ制御装置は、前記キー制御盤が前記かご内キーリーダの読み取りに基づきキーの認証を行った場合に、かご内のかご呼び釦をかご呼び不停止解除の状態とする、
ことを特徴とする請求項７記載のエレベータのセキュリティシステム。
【請求項９】
前記建物の玄関ドア付近に設けられ、来訪者が建物内の住民を呼び出すための玄関インターホンと、
前記建物内の各住居に設けられ、前記玄関インターホンとの間での通話が可能であると共に、所定操作により前記玄関ドアを解錠するための解錠指令を出力する住民用インターホンと、
前記住民用インターホンからの解錠指令の入力に基づき前記玄関ドアを解錠すると共に、この解錠が行われたこと及び前記住民の居住階床を前記エレベータ制御装置に通知するインターホン制御盤と、
を備え、
前記エレベータ制御装置は、前記インターホン制御盤から前記通知を受けたこと、及び前記玄関階ホールに設けられているホール呼び釦が操作されたことの双方を条件に、玄関階へのホール呼びの登録、及び該登録に基づくエレベータ運転を行うエレベータ制御装置と、
を備えたことを特徴とする請求項１乃至８のいずれかに記載のエレベータのセキュリティシステム。
【請求項１０】
前記エレベータ制御装置は、前記住民用インターホンからの前記通知に基づき、エレベータかごを玄関階に戸閉待機させておく、
ことを特徴とする請求項９記載のエレベータのセキュリティシステム。
【請求項１１】
前記エレベータ制御装置は、前記玄関階のホール呼び釦を常時はホール呼び不停止の状態とし、前記住民用インターホンから前記通知を受けた場合に前記玄関階のホール呼び釦をホール呼び不停止解除の状態とする、
ことを特徴とする請求項９又は１０記載のエレベータのセキュリティシステム。
【請求項１２】
前記エレベータ制御装置は、前記ホール呼び不停止解除の状態とするタイミングを、前記玄関ドアが解錠されてから前記来訪者がエレベータドア付近に到着すると予測されるタイミングにする、
ことを特徴とする請求項１１記載のエレベータのセキュリティシステム。
【請求項１３】
前記エレベータ制御装置は、前記玄関階のホール呼び釦をホール呼び不停止解除の状態とした後、設定時間が経過してもこのホール呼び釦の操作が行われない場合は再度ホール呼び不停止の状態とする、
ことを特徴とする請求項１１又は１２記載のエレベータのセキュリティシステム。
【請求項１４】
前記エレベータ制御装置は、前記来訪者がエレベータかご内に乗り込んだ後の目的階登録を、前記住民用インターホンからの前記通知に基づき行う、
ことを特徴とする請求項９乃至１３のいずれかに記載のエレベータのセキュリティシステム。
【発明の詳細な説明】
【技術分野】
【０００１】
本発明は、マンション、アパート、又は団地等の集合住宅用建物に設置されるエレベータのセキュリティシステムに関するものである。
【背景技術】
【０００２】
集合住宅用建物には複数の住民が居住し、住民同士は必ずしも互いに顔見知りではないために、建物内に不審者が侵入したとしても、直ちに住民との見分けをつけるのは困難である。そのため、最近では多くの集合住宅用建物に、不審者を排除するためのセキュリティシステムが採用されている。そして、集合住宅用建物の多くにはエレベータが設置されており、防犯効果を向上させるためにエレベータを含めたセキュリティシステムが構築されている（例えば、特許文献１参照）。
【０００３】
通常、この種のシステムでは、玄関階ホールのエレベータドア付近にキーリーダが設けられており、このキーリーダの読み取りに基づき住民の所持するキーが認証されると、戸閉待機していたエレベータドアが開放されるようになっている。そして、住民がエレベータかご内に乗り込むと、住民の居住階床が目的階としてかご呼び登録され、エレベータかごは自動的に住民の居住階床へ向かって運転されるようになっている。
【特許文献１】特開２００２−３４８０５３号公報
【発明の開示】
【発明が解決しようとする課題】
【０００４】
従来システムの多くは、上記のように、住民の所持するキーがキーリーダの読み取りに基づき認証されると、住民が呼び釦を操作しなくても、エレベータの運転が自動的に行われるようになっている。しかし、このように、一旦キーが認証されるとエレベータの運転が自動的に行われる構成は、一見すると便利なように見えるが次のような課題を有するものである。
【０００５】
第一に、所謂「ダブルドアオペレーション」の問題である。例えば、住民が自己の居住階床へ向かう前に、地下階の店舗に寄って買い物をしようとする場合、エレベータかご内に乗り込んでから地下階のかご呼び釦を押す必要がある。しかし、この時点では既に住民の居住階床が目的階登録されてしまっているため、この居住階床への目的階登録をキャンセルするためにエレベータドアを一旦開放しなければならない。つまり、住民は、自己の居住階床へ直行する場合に比べてエレベータドアの開閉動作が１回分だけ余分に行われるのを我慢しなければならない。
【０００６】
第二に、玄関階ホールでは車椅子ホール呼び釦の利用が制限されている問題である。つまり、通常のエレベータシステムでは、健常者用の呼び釦の他に、身障者用の呼び釦を設け、身障者用の呼び釦が操作された場合はエレベータドアの開放時間を長くして車椅子の身障者が余裕をもって乗降できるようにしている。ところが、上記のように、キーの認証後はエレベータの運転が自動的に行われる構成の場合、身障者は車椅子ホール呼び釦を使用することができなくなっており、エレベータドアの開放時間は健常者用ホール呼び釦（ノーマルホール呼び釦）が押された場合の時間に設定されている。そのため、車椅子利用者が完全にエレベータかご内に乗り込む前にエレベータドアが閉まり始め、ドアが車椅子利用者にぶつかることが多くなっていた。
【０００７】
本発明は上記事情に鑑みてなされたものであり、第１の目的は、エレベータドアのダブルドアオペレーションをなくすことが可能なエレベータセキュリティシステムを提供することである。また、第２の目的は、玄関階ホールで車椅子ホール呼び釦を利用することができるエレベータのセキュリティシステムを提供することである。
【課題を解決するための手段】
【０００８】
上記課題を解決するための手段として、請求項１記載の発明は、建物内の玄関階ホールのエレベータドア付近に設けられ、建物内の住民が持つキーに割り付けられた情報を読み取る玄関階ホールキーリーダと、前記玄関階ホールキーリーダからの読取信号に基づき前記キーの認証を行うキー制御盤と、前記キー制御盤がキーの認証を行ったこと、及び前記玄関階ホールに設けられているホール呼び釦が操作されたことの双方を条件に、玄関階へのホール呼びの登録、及び該登録に基づくエレベータ運転を行うエレベータ制御装置と、を備えたことを特徴とする。
【０００９】
請求項２記載の発明は、請求項１記載の発明において、前記ホール呼び釦は、健常者が操作するためのノーマルホール呼び釦、及び車椅子利用者が操作するための車椅子ホール呼び釦により構成されるものである、ことを特徴とする。
【００１０】
請求項３記載の発明は、請求項１又は２記載の発明において、前記建物の玄関には玄関ドアが設けられると共に、この玄関ドア付近に前記住民が持つキーに割り付けられた情報を読み取る玄関キーリーダが設けられており、前記エレベータ制御装置は、前記キー制御盤が前記玄関キーリーダの読み取りに基づきキーの認証を行った場合に、エレベータかごを玄関階に戸閉待機させておく、ことを特徴とする。
【００１１】
請求項４記載の発明は、請求項１乃至３のいずれかに記載の発明において、前記エレベータ制御装置は、前記玄関階のホール呼び釦を常時はホール呼び不停止の状態とし、前記キー制御盤がキーの認証を行った場合に前記玄関階のホール呼び釦をホール呼び不停止解除の状態とする、ことを特徴とする。
【００１２】
請求項５記載の発明は、請求項４記載の発明において、前記エレベータ制御装置は、前記玄関階のホール呼び釦をホール呼び不停止解除の状態とした後、設定時間が経過してもこのホール呼び釦の操作が行われない場合は再度ホール呼び不停止の状態とする、ことを特徴とする。
【００１３】
請求項６記載の発明は、請求項１乃至５のいずれかに記載の発明において、前記エレベータ制御装置は、前記住民がエレベータかご内に乗り込んだ後の目的階登録を、前記キーに割り付けられた情報に基づき行う、ことを特徴とする。
【００１４】
請求項７記載の発明は、請求項１乃至５のいずれかに記載の発明において、前記エレベータ制御装置は、前記住民がエレベータかご内に乗り込んだ後の目的階登録を、エレベータかご内のかご呼び釦の操作に基づき行う、ことを特徴とする。
【００１５】
請求項８記載の発明は、請求項７記載の発明において、前記エレベータかご内にはかご内キーリーダが設けられており、前記エレベータ制御装置は、前記キー制御盤が前記かご内キーリーダの読み取りに基づきキーの認証を行った場合に、かご内のかご呼び釦をかご呼び不停止解除の状態とする、ことを特徴とする。
【００１６】
請求項９記載の発明は、請求項１乃至８のいずれかに記載の発明において、前記建物の玄関ドア付近に設けられ、来訪者が建物内の住民を呼び出すための玄関インターホンと、前記建物内の各住居に設けられ、前記玄関インターホンとの間での通話が可能であると共に、所定操作により前記玄関ドアを解錠するための解錠指令を出力する住民用インターホンと、前記住民用インターホンからの解錠指令の入力に基づき前記玄関ドアを解錠すると共に、この解錠が行われたこと及び前記住民の居住階床を前記エレベータ制御装置に通知するインターホン制御盤と、を備え、前記エレベータ制御装置は、前記インターホン制御盤から前記通知を受けたこと、及び前記玄関階ホールに設けられているホール呼び釦が操作されたことの双方を条件に、玄関階へのホール呼びの登録、及び該登録に基づくエレベータ運転を行うエレベータ制御装置と、を備えたことを特徴とする。
【００１７】
請求項１０記載の発明は、請求項９記載の発明において、前記エレベータ制御装置は、前記住民用インターホンからの前記通知に基づき、エレベータかごを玄関階に戸閉待機させておく、ことを特徴とする。
【００１８】
請求項１１記載の発明は、請求項９又は１０記載の発明において、前記エレベータ制御装置は、前記玄関階のホール呼び釦を常時はホール呼び不停止の状態とし、前記住民用インターホンから前記通知を受けた場合に前記玄関階のホール呼び釦をホール呼び不停止解除の状態とする、ことを特徴とする。
【００１９】
請求項１２記載の発明は、請求項１１記載の発明において、前記エレベータ制御装置は、前記ホール呼び不停止解除の状態とするタイミングを、前記玄関ドアが解錠されてから前記来訪者がエレベータドア付近に到着すると予測されるタイミングにする、ことを特徴とする。
【００２０】
請求項１３記載の発明は、請求項１１又は１２記載の発明において、前記エレベータ制御装置は、前記玄関階のホール呼び釦をホール呼び不停止解除の状態とした後、設定時間が経過してもこのホール呼び釦の操作が行われない場合は再度ホール呼び不停止の状態とする、ことを特徴とする。
【００２１】
請求項１４記載の発明は、請求項９乃至１３のいずれかに記載の発明において、前記エレベータ制御装置は、前記来訪者がエレベータかご内に乗り込んだ後の目的階登録を、前記住民用インターホンからの前記通知に基づき行う、ことを特徴とする。
【発明の効果】
【００２２】
本発明によれば、キー制御盤がキーの認証を行ったこと、及び玄関階ホールのホール呼び釦が押されたことの双方を条件に、玄関階へのホール呼びの登録、及びこの登録に基づくエレベータ運転が行われる構成となっているので、エレベータドアのダブルドアオペレーションをなくすことが可能となり、また、玄関階ホールで車椅子ホール呼び釦を利用することができる。
【発明を実施するための最良の形態】
【００２３】
図１は、本発明の実施形態に係るエレベータのセキュリティシステムの構成図である。この図において、建物の玄関に玄関ドア１が設置されており、その前に玄関キーリーダ２及び玄関インターホン３が設けられている。玄関キーリーダ２は、住民Ｍ１や所定関係者など予め登録された者が携帯するキー（例えばＩＣカード）の情報を読み取るものであり、このキーが認証された場合に玄関ドア１に付設されているオートロック機構４が解錠されるようになっている。玄関インターホン３は、来訪者Ｍ２が建物内の住民Ｍ４との間で通話を行うものである。そして、建物内の住民Ｍ４が室内インターホンで所定操作を行った場合に、オートロック機構４が解錠されるようになっている。
【００２４】
玄関階ホールのエレベータドア付近には、玄関階ホールキーリーダ５、ノーマルホール呼び釦６及び車椅子ホール呼び釦７が設けられており、また、建物内の昇降路をエレベータかご８が昇降動するようになっている。このエレベータかご８内には、右方の拡大図に示すように、ノーマルかご呼び釦９及び車椅子かご呼び釦１０が設けられており、また、かご内キーリーダ１１も設けられている。なお、図１における建物は、１階が玄関階になっている地上５階地下１階のビルである。そして、１階から５階が居住階床で、地下１階には各種店舗が入居している。
【００２５】
玄関階ホールキーリーダ５は、ノーマルホール呼び釦６及び車椅子ホール呼び釦７の側方に設置されており、玄関ドア１を通ってきた住民Ｍ１のキーの情報を再度読み取るものである。
【００２６】
ノーマルホール呼び釦６及びノーマルかご呼び釦９は健常者のための通常の呼び釦であり、車椅子ホール呼び釦７及び車椅子かご呼び釦１０は車椅子を利用する身障者のための呼び釦である。そして、これらの呼び釦に対する黒又は白の表示は、その呼び釦の操作が可能な状態であるか否かを示している。
【００２７】
例えば、ノーマルホール呼び釦６及び車椅子ホール呼び釦７については、１階から４階までの上り釦及び１階の下り釦が操作無効状態（本明細書では、「ホール呼び不停止」状態と呼ぶことにする）を意味する白となっている。これは、１階(玄関階)においては、もし不審者Ｍ３に玄関ドア１の通過を許してしまった場合でも、この不審者Ｍ３がエレベータを利用できないようにするためであり、また、２階から４階においては、所謂「階間交通」を禁止し、これらの階床の住民が無用な場所へ行くのを制限するためである。但し、住民は自己のキーをかご内キーリーダ１１に認証させた場合は、「階間交通」が可能となり、２階から５階のいずれかを目的階とすることができるようになっている。
【００２８】
また、２階から５階の下り釦及び地下１階の上り釦は操作有効状態（本明細書では、「ホール呼び不停止解除」状態と呼ぶことにする）を意味する黒となっている。つまり、各階床に居る住民は玄関階である１階又は各種店舗のある地下１階へ向かう方向のホール呼び釦のみを操作できるようになっている。
【００２９】
ノーマルかご呼び釦９及び車椅子かご呼び釦１０については、２階から５階までのかご呼び釦が操作無効状態（「かご呼び不停止」状態と呼ぶ）を意味する白となっており、１階及び地下１階のかご呼び釦が操作有効状態（かご呼び不停止解除」状態と呼ぶ）を意味する黒となっている。
【００３０】
そして従来システムでは、玄関階ホールキーリーダ５で住民Ｍ１のキーが認証され、住民Ｍ１が開放されたエレベータドアを通ってエレベータかご８内に乗り込んだ後は、この住民Ｍ１がノーマルかご呼び釦９又は車椅子かご呼び釦１０を操作しなくとも、この住民Ｍ１の居住階床への運転が自動的に行われるようになっていた。しかし、図１の構成では、玄関階ホールキーリーダ５で住民Ｍ１のキーが認証されると、それまで「ホール呼び不停止」状態であった１階の上り釦及び下り釦が「ホール呼び不停止解除」状態となり、住民Ｍ１がこれらの釦を操作しなければ玄関階でのホール呼びが登録されないようになっている。
【００３１】
キー制御盤１２は、玄関キーリーダ２、玄関階ホールキーリーダ５、及びかご内キーリーダ１１からのキー情報を入力して照合処理を行い、キーの認証を行うようになっている。そして、キー制御盤１２は、玄関キーリーダ２からのキー情報に基づきそのキーを認証した場合にオートロック機構４を解錠するようになっている。また、キー制御盤１２は、キーを認証した場合の認証信号をインタフェース装置１４を介してエレベータ制御装置１５に出力するようになっている。エレベータ制御装置１５は、この認証信号の入力の有無に応じた処理を行うようになっている。
【００３２】
インターホン制御盤１３には玄関インターホン３からの信号、及びインターホンＩＰ１〜ＩＰnからの信号が入力されるようになっている。そして、玄関インターホン３と、例えばインターホンＩＰ１との間での通話を可能とし、住民Ｍ４が来訪者Ｍ２を認識してインターホンＩＰ１に所定操作を行った場合に、インターホン制御盤１３はオートロック機構４を解錠するようになっている。また、このときインターホン制御盤１３は、住民Ｍ４の居住階床あるいは部屋番号などの所定情報をインタフェース装置１４を介してエレベータ制御装置１５に通知するようになっている。
【００３３】
次に、上記のように構成される図１のシステムの動作につき説明する。まず、住民Ｍ１がエレベータを利用する場合の動作を図２のフローチャートに基づき説明する。なお、図１に図示されているように、ノーマルホール呼び釦６及び車椅子ホール呼び釦７は、当初は、１階から４階までの上り釦及び１階の下り釦が「ホール呼び不停止」状態（白印）となっており、また、２階から５階の下り釦及び地下１階の上り釦が「ホール呼び不停止解除」状態（黒印）となっている。
【００３４】
住民Ｍ１（居住階床が５階とする）が外出先から戻り、自己のキーを玄関キーリーダ２に近づけると、玄関キーリーダ２はそのキー情報を読み取り、読取信号をキー制御盤１２に出力する。キー制御盤１２は、この読取信号に対する照合に基づき、このキーが登録者である住民Ｍ１の所持するものであることを認証する（ステップ１）。そして、キー制御盤１２はオートロック機構４を解錠する（ステップ２）。
【００３５】
キー制御盤１２は、また、上記の認証及び解錠を行うと共に、認証信号をインタフェース装置１４を介してエレベータ制御装置１５に出力する。エレベータ制御装置１５は、この認証信号を入力すると、エレベータかご８を速やかに玄関階である１階に呼び戻して戸閉待機させるようにする（ステップ３）。なお、エレベータ制御装置１５は、エレベータかご８を１階に呼び戻す際に、１階のノーマルホール呼び釦６及び車椅子ホール呼び釦７の上り釦を点灯することなく消灯状態のままにしている。このように、ホール呼び釦を消灯状態のままにしてエレベータかごを呼び戻すことを「ダミー呼び」という。
【００３６】
住民Ｍ１は、オートロック機構４が解錠された後、玄関ドア１から建物内に入って玄関階ホールのエレベータドア付近まで歩き、玄関階ホールキーリーダ５に自己のキーを再度近づける。すると、玄関階ホールキーリーダ５はそのキー情報を読み取り、読取信号をキー制御盤１２に出力する（ステップ４）。そして、キー制御盤１２は、この読取信号に基づきキーの認証の是非を判別する（ステップ５）。キー制御盤１２の認証が行われない場合、エレベータ制御装置１５は設定時間の経過を待って（ステップ６）、住民Ｍ１のための処理を終了する。
【００３７】
一方、ステップ５でキー制御盤１２の認証が行われた場合、エレベータ制御装置１５は、それまで「ホール呼び不停止」であった１階のノーマルホール呼び釦６及び車椅子ホール呼び釦７を「ホール呼び不停止解除」の状態とする（ステップ７）。これにより、住民Ｍ１は１階のノーマルホール呼び釦６又は車椅子ホール呼び釦７のいずれかを操作することが可能な状態となる。なお、記述したように、エレベータ制御装置１５は「ダミー呼び」によりエレベータかご８を１階に呼び戻しているので、これらの釦は消灯状態になっている。
【００３８】
次いで、エレベータ制御装置１５は、１階のノーマルホール呼び釦６又は車椅子ホール呼び釦７のいずれかが操作されたか否かを判別する（ステップ８）。そして、いずれのホール呼び釦の操作も行われない場合は、設定時間の経過後に、１階のノーマルホール呼び釦６及び車椅子ホール呼び釦７を「ホール呼び不停止」の状態に戻した後（ステップ９，１０）、住民Ｍ１のための処理を終了する。
【００３９】
一方、ステップ８で１階のいずれかのホール呼び釦が住民Ｍ１により操作された場合、エレベータ制御装置１５は、このホール呼び釦の操作に基づくホール呼び登録を行う（ステップ１１）と共に、１階のホール呼び釦を「ホール呼び不停止」の状態に戻し（ステップ１２）、更にエレベータドアに戸開動作を行わせる（ステップ１３）。
【００４０】
例えば、住民Ｍ１が車椅子を利用する身障者であり、自己の居住階床である５階に行こうとして１階の車椅子ホール呼び釦７の上り釦を押したとすると、エレベータ制御装置１５はこの押された上り釦に基づくホール呼び登録を行い、この上り釦を点灯する。この点灯した上り釦は、もちろん「ホール呼び不停止」状態となるが、消灯しているそれ以外の１階のホール呼び釦についても、エレベータ制御装置１５は「ホール呼び不停止」状態とする。
【００４１】
また、もし住民Ｍ１が自己の居住階床である５階に行く前に、地下１階の店舗に寄って買い物をしようとする場合は、住民Ｍ１は１階の車椅子ホール呼び釦７の下り釦を押せばよい。エレベータ制御装置１５は、同様に、この押された下り釦に基づくホール呼び登録を行い、この下り釦を点灯する。そして、この点灯した下り釦、及び消灯しているそれ以外の１階のホール呼び釦を「ホール呼び不停止」状態とする。
【００４２】
このように、図１の構成では住民Ｍ１に、キーを玄関階ホールキーリーダ５に読み取らせることに加え、ホール呼び釦を操作することも要求しているが、エレベータ制御装置１５はこの操作に基づくホール呼び登録つまり住民Ｍ１が真に希望する運転方向のホール呼び登録を行っているので、従来システムで説明した「ダブルドアオペレーション」の問題は生じない。
【００４３】
そして、エレベータ制御装置１５は、ステップ１３においてエレベータドアに戸開動作を行わせる際に、操作されたホール呼び釦が車椅子ホール呼び釦７であることから、ドアの開放時間を通常の場合よりも長くする。したがって、図１の構成によれば、住民Ｍ１は玄関階ホールからエレベータかご８内へ充分に余裕を持って乗り込むことができ、従来システムのように、住民Ｍ１がエレベータかご８内に完全に乗り込む前にドアが閉まり始め、ドアが住民Ｍ１にぶつかってしまうような事態を回避できる。
【００４４】
次いで、エレベータ制御装置１５は、ステップ１３でエレベータドアに戸開動作を行わせた後、目的階登録の有無を判別し（ステップ１４）、目的階登録が行われていればエレベータドアに戸閉動作を行わせる（ステップ１５）。そして、エレベータ制御装置１５は、登録された目的階までエレベータかご８を移動させ（ステップ１６）、その後住民Ｍ１のための処理を終了する。
【００４５】
一方、目的階登録が行われない場合、エレベータ制御装置１５は設定時間の経過後にエレベータドアに戸閉動作を行わせ（ステップ１８）、住民Ｍ１のための処理を終了する。
【００４６】
ここで、住民Ｍ１がエレベータかご８内に乗り込んだ後、ステップ１４において判別される目的階登録につき説明する。目的階登録が行われるパターンとしては種々のものが考えられるが、本実施形態では、例えば次のような代表的なパターンを想定している。
（１）玄関階ホールキーリーダ５の読取に基づきキー制御盤１２が認証を行った際に、キーに割り付けられた情報すなわちインタフェース装置１４を介してエレベータ制御装置１５に入力される認証信号に含まれる情報（住民Ｍ１の部屋番号等）に基づき、１階の上り釦が押された場合は、住民Ｍ１の居住階床である５階を目的階とする登録をエレベータ制御装置１５が自動的に行う。また、１階の下り釦が押された場合は、地下１階を目的階とする登録をエレベータ制御装置１５が自動的に行う。
（２）住民Ｍ１がキーをかご内キーリーダ１１に読み取らせてキー制御盤１２に認証させ、エレベータ制御装置１５が全ての階床のノーマルかご呼び釦９及び車椅子かご呼び釦１０を「かご呼び不停止解除」とした後に、住民Ｍ１が操作したかご呼び釦に係る階床をエレベータ制御装置１５が目的階として登録する。
（３）かご内キーリーダ１１が設置されていないか、設置されていても機能停止状態としておくようにし、住民Ｍ１に対しては、戸開後所定時間の間だけ５階及び地下１階のかご呼び釦のみを「かご呼び不停止解除」とし、その後住民Ｍ１が操作したかご呼び釦に係る階床をエレベータ制御装置１５が目的階として登録する。
【００４７】
また、建物の管理人に対しては、戸開後所定時間の間だけ全階床のかご呼び釦を「かご呼び不停止解除」とし、その後管理人が操作したかご呼び釦に係る階床をエレベータ制御装置１５が目的階として登録する。なお、エレベータ制御装置１５は、住民Ｍ１又は管理人のいずれであるかについては認証信号の入力に基づき識別できるようになっている。
【００４８】
ところで、ステップ６，９，１７の各判別において設定時間が経過した場合は、その後に住民Ｍ１の処理が終了するようになっている。設定時間が経過する主な理由としては、住民Ｍ１が玄関階ホール内で知人と立ち話をしたり、玄関階ホール内の掲示板等を読んでいたり、あるいは釦操作を忘れたりするなどして設定時間を徒過することが考えられる。このような場合、玄関階ホール内に居る住民Ｍ１は、再度キーを玄関階ホールキーリーダ５に読み取らせるようにすれば、図２の「Ａ」で示したように、ステップ４からの処理を再開させることができる。
【００４９】
次に、来訪者Ｍ２が住民Ｍ４（居住階床が４階とする）を訪問する場合の動作を図３のフローチャートに基づき説明する。来訪者Ｍ２が予め住民Ｍ４から聞いていた部屋番号を入力する操作を玄関インターホン３に対して行うと、インターホン制御盤１３はインターホンＩＰ１に対して呼び出しを行う（ステップ５１）。
【００５０】
そして、住民Ｍ４が来訪者Ｍ２と通話を行い、間違いなく来訪者Ｍ２であることを確認すると、住民Ｍ４はインターホンＩＰ１に所定操作を行う。これにより、インターホン制御盤１３はオートロック機構４を解錠する（ステップ５２）。
【００５１】
インターホン制御盤１３は、また、住民Ｍ４の居住階床あるいは部屋番号などの所定情報をインタフェース装置１４を介してエレベータ制御装置１５に通知する。エレベータ制御装置１５は、この通知を受けると、エレベータかご８を速やかに玄関階である１階に呼び戻して戸閉待機させるようにする（ステップ５３）。このときの呼び戻しも既述した「ダミー呼び」であり、ホール呼び釦は消灯状態のままとなっている。
【００５２】
次いで、エレベータ制御装置１５は、それまで「ホール呼び不停止」であった１階のノーマルホール呼び釦６及び車椅子ホール呼び釦７を「ホール呼び不停止解除」の状態とする（ステップ５４）。これにより、来訪者Ｍ２は１階のノーマルホール呼び釦６又は車椅子ホール呼び釦７のいずれかを操作することが可能な状態となる。
【００５３】
この後、エレベータ制御装置１５は、１階のノーマルホール呼び釦６又は車椅子ホール呼び釦７のいずれかが操作されたか否かを判別するが、これ以降のステップ５５〜６５に至る動作は、図２におけるステップ８〜１８の動作と略同様であり、容易に類推が可能であるため説明を省略する。
【００５４】
なお、ステップ５４において、エレベータ制御装置１５が１階のノーマルホール呼び釦６及び車椅子ホール呼び釦７を「ホール呼び不停止解除」状態とするタイミングについては、オートロック機構４の解錠後に来訪者Ｍ２が玄関ドア１を通ってエレベータドアに到達すると予測されるタイミングとすることが好ましい。何故なら、オートロック機構４の解錠後直ちに「ホール呼び不停止解除」の状態とすると、それ以前に玄関階ホールに入り込んでいた不審者がホール呼び釦を操作してエレベータかご８内に乗り込んでしまう可能性があるからである。
【００５５】
また、来訪者Ｍ２が住民Ｍ４の部屋から帰る場合は、４階のノーマルホール呼び釦６又は車椅子ホール呼び釦７（下り釦）を押してエレベータかご８を呼び、エレベータかご８内に乗り込んだ後で１階のノーマルかご呼び釦９又は車椅子かご呼び釦１０を押せばよい。
【００５６】
次に、不審者Ｍ３に対するシステムの防護につき説明する。不審者Ｍ３は玄関キーリーダ２又は玄関インターホン３を利用できないので、通常、不審者Ｍ３が玄関ドア１を通って建物内に入ることはできない。しかし、住民Ｍ１又は来訪者Ｍ２等が開放された玄関ドア１を通った後、この玄関ドア１が閉まらないうちに不審者Ｍ３が続いて建物内に侵入してしまう場合もあり得る。
【００５７】
この後、不審者Ｍ３は玄関階ホールに人気がないのを見計らって１階のノーマルホール呼び釦６又は車椅子ホール呼び釦７を押すことが予想されるが、これらのホール呼び釦は「ホール呼び不停止」になっているので、不審者Ｍ３はエレベータを利用することができない。
【００５８】
但し、住民Ｍ１又は来訪者Ｍ２がエレベータかご８に乗り込んだときに、不審者Ｍ３も何食わぬ顔でエレベータかご８に乗り込んでしまうことも考えられる。しかし、エレベータかご８は、通常、住民Ｍ１又は来訪者Ｍ２の目的階に直行し、また、かご内操作盤のノーマルかご呼び釦９又は車椅子かご呼び釦１０は１階又は地下１階しか「かご呼び不停止解除」となっていないので、不審者Ｍ３は行き場を失い、その挙動が目立つことになる。したがって、多くの場合、不審者Ｍ３は建物外に退去せざるを得なくなると考えられる。
【００５９】
なお、上記実施形態では、説明を簡単にするためエレベータかご８が１台の場合につき説明したが、本発明の技術は台数について特に制限されるものではなく、更に、エレベータ群管理制御を行うエレベータシステムにも適用可能なものである。
【００６０】
また、住民Ｍ１が所持するキーはＩＣカード等を想定しているが、特にこれに限定されるものではなく、バイオメトリクス技術を採用することによって住民Ｍ１の指紋や声紋等をキーとして用いたり、画像認識技術を採用することによって住民Ｍ１の顔かたち等をキーとして用いることも可能である。
【図面の簡単な説明】
【００６１】
【図１】本発明の実施形態に係るエレベータのセキュリティシステムの構成図。
【図２】住民Ｍ１がエレベータを利用する場合の図１の動作を説明するためのフローチャート。
【図３】来訪者Ｍ２がエレベータを利用する場合の図１の動作を説明するためのフローチャート。
【符号の説明】
【００６２】
１  玄関ドア
２  玄関キーリーダ
３  玄関インターホン
４  オートロック機構
５  玄関階ホールキーリーダ
６  ノーマルホール呼び釦
７  車椅子ホール呼び釦
８  エレベータかご
９  ノーマルかご呼び釦
１０  車椅子かご呼び釦
１１  かご内キーリーダ
１２  キー制御盤
１３  インターホン制御盤
１４  インタフェース装置
１５  エレベータ制御装置
ＩＰ1〜ＩＰｎ  住民用インターホン
Ｍ1  住民
Ｍ2  来訪者
Ｍ3  不審者
Ｍ4  住民
【図１】
2007246257.tif 000003
【図２】
2007246257.tif 000004
【図３】
2007246257.tif 000005